(57)【要約】【課題】  加熱調理器等が接続されたホームネットワークシステムにおいて、ユーザー個々の好みに合わせた加熱調理システムの構築が容易にできるようにする。【解決方法】  加熱調理器５ａを含む複数の宅内家電機器５が接続されたホームネットワークシステムにおいて、文字等を入力する入力手段２及び表示する表示手段１を備え、宅内ネットワークを介して相互に宅内家電機器５と情報を送受信可能な宅内情報端末４を設け、この宅内情報端末４に入力手段２を用いて加熱調理器５ａに対する料理の加熱の手段や時間等の加熱制御情報と料理レシピの文字や画像情報を入力する機能と、入力した加熱制御や文字等の情報を自動的にリンクして編集、記憶する機能と、これらの情報を必要に応じて呼び出し表示手段１で表示する機能と、呼び出された加熱制御情報を宅内ネットワークを介して加熱調理器５ａに自動設定する機能とを持たせる。【選択図】  図１
2005090767.tif 000002
【特許請求の範囲】
【請求項１】
加熱調理器（５ａ）を含む複数の宅内家電機器（５）が接続されたホームネットワークシステムにおいて、文字情報や画像情報を入力する入力手段（２）および表示する表示手段（１）を備え、宅内ネットワークを介して相互に宅内家電機器（５）と情報を送受信可能な宅内情報端末（４）を設け、この宅内情報端末（４）に前記入力手段（２）を用いて加熱調理器（５ａ）に対する料理の加熱手段や加熱時間、制御温度などの複数の加熱制御情報と料理レシピなどの文字情報、料理写真などの画像情報を入力する機能と、入力した複数の加熱制御情報、文字情報、画像情報を自動的にリンクして編集、記憶する機能と、編集、記憶された情報を必要に応じて呼び出して前記表示手段（１）で表示する機能と、呼び出された複数の加熱制御情報を宅内ネットワークを介して加熱調理器（５ａ）に自動設定する機能とを持たせたことを特徴とするホームネットワークシステム。
【請求項２】
インターネット接続手段（３ａ）を有し、編集、記憶された情報をインターネット（３）を介して宅外の情報センタ（７）に登録する機能を宅内情報端末（４）に持たせたことを特徴とする請求項１記載のホームネットワークシステム。
【請求項３】
インターネット接続手段（３ａ）を有し、登録された情報をインターネット（３）を介して情報センタ（７）からダウンロードし、表示手段（１）を用いて表示する機能と、ダウンロードした複数の加熱情報を宅内ネットワークを介して加熱調理器（５ａ）に自動設定する機能とを宅内情報端末（４）に持たせたことを特徴とする請求項１記載のホームネットワークシステム。
【発明の詳細な説明】
【技術分野】
【０００１】
本発明は、加熱調理器を含む複数の宅内家電機器が接続されたホームネットワークシステムに関するものである。
【背景技術】
【０００２】
従来、加熱調理器に加熱手段、加熱時間、制御温度など複数の加熱制御情報を外部より自動設定する手段としては、特開２０００−３４６３６６号公報に記載されているようにインターネットを介して宅外のホストコンピュータより加熱制御情報を含む料理情報をパソコンを用いて取得し、中継機を介して加熱調理器に加熱制御情報を転送する方法や、特開２００３−１２０９３７号公報に記載されているようにインターネットを介して宅外のＷｅｂサーバーから調理用データを機器コントローラが取得し、メモリーカードを介して加熱調理器に調理用データを読み込ませる方法などが提案されている。
【０００３】
【特許文献１】特開２０００−３４６３６６号公報
【０００４】
【特許文献２】特開２００３−１２０９３７号公報
【発明の開示】
【発明が解決しようとする課題】
【０００５】
上記従来の技術にあっては、いずれも外部より公開される一方的な加熱制御情報をインターネットを介して取得して加熱調理器に設定可能な手段であり、ユーザーが自分で考案した料理レシピにもとづく加熱制御情報を料理レシピなどのその他の料理情報とともに記憶し、必要な時に呼び出して加熱調理器に自動設定する手段については何ら考慮されていないという問題があった。
【課題を解決するための手段】
【０００６】
上記問題を解決する手段として、加熱調理器を含む複数の宅内家電機器が接続されたホームネットワークシステムにおいて、文字情報や画像情報を入力する入力手段および表示する表示手段を備え、宅内ネットワークを介して相互に宅内家電機器と情報を送受信可能な宅内情報端末を設け、この宅内情報端末に前記入力手段を用いて加熱調理器に対する料理の加熱手段や加熱時間、制御温度などの複数の加熱制御情報と料理レシピなどの文字情報、料理写真などの画像情報を入力する機能と、入力した複数の加熱制御情報、文字情報、画像情報を自動的にリンクして編集、記憶する機能と、編集、記憶された情報を必要に応じて呼び出して前記表示手段で表示する機能と、呼び出された複数の加熱制御情報を宅内ネットワークを介して加熱調理器に自動設定する機能とを持たせたものである。
【０００７】
また、インターネット接続手段を有し、編集、記憶された情報をインターネットを介して宅外の情報センタに登録する機能を宅内情報端末に持たせたものである。
【０００８】
さらに、インターネット接続手段を有し、登録された情報をインターネットを介して情報センタからダウンロードし、表示手段を用いて表示する機能と、ダウンロードした複数の加熱情報を宅内ネットワークを介して加熱調理器に自動設定する機能とを宅内情報端末に持たせたものである。
【発明の効果】
【０００９】
以上説明したように、本発明によれば、加熱調理器を含む複数の宅内家電機器が接続されたホームネットワークシステムにおいて、文字情報や画像情報を入力する入力手段および表示する表示手段を備え、宅内ネットワークを介して相互に宅内家電機器と情報を送受信可能な宅内情報端末を設け、この宅内情報端末に前記入力手段を用いて加熱調理器に対する料理の加熱手段や加熱時間、制御温度などの複数の加熱制御情報と料理レシピなどの文字情報、料理写真などの画像情報を入力する機能と、入力した複数の加熱制御情報、文字情報、画像情報を自動的にリンクして編集、記憶する機能と、編集、記憶された情報を必要に応じて呼び出して前記表示手段で表示する機能と、呼び出された複数の加熱制御情報を宅内ネットワークを介して加熱調理器に自動設定する機能とを持たせたものである。
【００１０】
また、インターネット接続手段を有し、編集、記憶された情報をインターネットを介して宅外の情報センタに登録する機能を宅内情報端末に持たせたものである。
【００１１】
さらに、インターネット接続手段を有し、登録された情報をインターネットを介して情報センタからダウンロードし、表示手段を用いて表示する機能と、ダウンロードした複数の加熱情報を宅内ネットワークを介して加熱調理器に自動設定する機能とを宅内情報端末に持たせたことにより、ユーザーが考案した料理レシピにもとづく加熱制御情報を文字情報や画像情報とともに記憶させることができ、必要に応じて文字情報や画像情報と一緒に呼び出し、ワンボタンで宅内ネットワークを介して加熱調理器に設定ができるので、ユーザー個々の好みに合わせた加熱調理システムの構築が容易に実現でき、ユーザーの利便性を大幅に向上することができる。
【００１２】
また、ユーザーが考案した料理レシピにもとづく加熱制御情報を文字情報や画像情報とともに外部に公開する手段を設けたことにより、ユーザー間での情報交換が容易にでき、メーカーなどの情報発信にたよらない自由度の高い加熱調理システムの構築が可能になるなどの効果がある。
【発明を実施するための最良の形態】
【００１３】
以下、本発明の実施例を図面を用いて説明する。
【００１４】
図１は本発明の一実施例を示す宅内ネットワークシステムの全体構成図で、１は文字や画像などの情報を表示する表示手段である。２は文字情報および画像情報などを入力する入力手段である。３はインターネットである。３ａはインターネット３と接続するインターネット接続手段である。４は宅内情報端末で、前記インターネット接続手段３ａや前記入力手段２からの情報処理を行なったり、情報を記憶したり、または表示情報を表示手段１に送信したりするところである。
【００１５】
５ａは加熱調理器で、図２で示すように加熱室５ａ１に収納した食品５ａ２を加熱調理するもので電子レンジ機能やヒータ機能を備えている。５ａ３は食品５ａ２を加熱室５ａ１に出し入れするとき使用する開閉自在なドアである。５ａ４は操作パネルで、加熱調理器５ａを操作するための操作ボタン、例えば加熱開始を指示する加熱スタートボタン５ａ５や電子レンジ機能とかヒータ機能であるオーブンなどを選択する機能選択ボタン５ａ６、選択された機能などを表示する表示部５ａ７などが設けられている。５ａ７は表示部で加熱時間や宅内情報端末４から送られてきた文字や映像などの情報を表示するところである。
【００１６】
５ｂは食品を保冷貯蔵する冷蔵庫である。５ｃは室内を空調するエアコンである。これらの加熱調理器５ａや冷蔵庫５ｂ、エアコン５ｃなどを総称して宅内家電機器５と称する。
【００１７】
宅内家電機器５と宅内情報端末４とを無線で情報交換を行なうため宅内家電機器５と宅内情報端末４にはそれぞれ無線通信手段６を備えている。７はインターネット３に接続された情報の発信基地である情報センタである。
【００１８】
このように構成された宅内ネットワークシステムにおける加熱調理器５ａのシステム動作について説明する。
【００１９】
図３から図８まではユーザーが考案した料理レシピを登録、呼び出しするための表示手段１に表示される画面遷移の一実施例を表したものである。
【００２０】
初めにユーザーは宅内情報端末４の表示手段１に表示される図３のサービスメニューの中から“我が家の料理レシピ”を入力手段２により選択する。
【００２１】
すると表示手段１には図４に示すような料理レシピの選択画面になり“料理レシピを選択してください”が表示され、既に登録した料理レシピがある場合にはその料理名が表示される。
【００２２】
本実施例では、最大５つの料理レシピが登録可能とし、まだ登録されていない場所には“未登録”の文字が表示されている。
【００２３】
ユーザーが“未登録”の場所を選択すると、表示手段１には、図５に示すような“料理名”と“作り方”の入力欄および“画像”の選択欄が表示されるので、ユーザーが考案した料理レシピの名前、例えばかぼちゃのクリーム煮と、その内容、例えば“かぼちゃをひと口大の大きさに切って、・・・・・”などと入力手段２を用いて入力するとともに、あらかじめ入力手段２で入力してある画像情報の中から必要な画像情報を選択ボタンＰを操作して選択する。一連の操作が完了すると画面上の“決定”を選択する。
【００２４】
すると表示手段１には図６に示すような加熱調理器５ａの加熱制御情報入力画面が表示されるので、入力手段２を用いて加熱調理器５ａに対する加熱手段、例えばレンジを選択し高周波出力が７００Ｗであれば“７００”を入力する。そして加熱時間、例えば５０秒であれば“５０”を入力する。
【００２５】
図６には表示されていないがヒータ加熱におけるオーブンでクッキーなどを焼くときはオーブンを選択して加熱温度（℃）、加熱時間（分）を入力する。魚を焼く場合はグリルを選択して加熱時間（分）を入力する。
【００２６】
続けて画面上の“決定”を選択すると、入力された文字情報や画像情報、加熱制御情報を宅内情報端末４で編集して、記憶した後、表示手段１は図７に示すような料理レシピの選択画面に戻る。
【００２７】
料理レシピ選択画面には、只今登録した料理レシピである“かぼちゃのクリーム煮”が追加登録されている。この画面で、登録した料理レシピを選択すると表示手段１には、図８に示すような料理レシピ画面（入力した文字情報や画像情報、加熱制御情報を編集した画面）が表示され、画面上の“転送”を選択すると、加熱制御情報を無線通信手段６で加熱調理器５ａに送信する。
【００２８】
無線通信手段６により加熱制御情報を受信した加熱調理器５ａは、加熱制御情報を自動設定し、加熱開始待ちとなる。ユーザーは図２に示すように食品５ａ２を加熱室５ａ１内に入れ、ドア５ａ３を閉じ、加熱スタートボタン５ａ５を押し、加熱を開始させる。
【００２９】
なお、図８における料理レシピ画面にて、“変更”を選択すると、登録した内容を保持したまま、図５の“料理名”と“作り方”の入力欄および“画像”の選択欄が表示されるで内容の修正・変更などが可能である。
【００３０】
また、図４の料理レシピの選択画面にて、“公開”を選択すると、インターネット３を介して情報センタ７より図９に示すような料理レシピの登録画面が表示されるので、登録したい料理レシピを選択、名前やキーワード、コメントなどを入力し、“登録”を選択することで、宅内情報端末４で編集・記憶した情報をアップロードして登録できる。
【００３１】
登録された料理レシピは、図３に示すサービスメニューの“公開レシピ”を選択するとインターネット３を介して情報センタ７より表示される検索画面（図１０）からキーワードなどの検索条件を入力して“検索”を選択すると図１１の公開料理レシピの選択画面となりこの画面の中から選択することで、登録した本人を含む本サービスを受ける全てのユーザーが呼び出すことが可能である。
【００３２】
なお、図３のサービスメニューの“提供レシピ”を選択することで、従来形のサービスであるメーカーやサービスベンダーの提供する料理レシピを利用することができることは言うまでもない。
【００３３】
このように、よく使用する自作料理レシピを登録しておけばいつでも手軽に利用できる。こうすることによりおいしいものであるが材料が高価なため時々しか料理できない料理レシピでも失敗無く料理できると共に時々しか作らないため提供レシピから除外されても検索画面から容易に引き出すことができる。
【００３４】
なお、本実施例では宅内情報端末４と宅内家電機器との情報交換は無線通信手段６による無線で行なったが、有線により行なっても同等の性能が得られることはいうまでもない。
【００３５】
また、宅内ネットワークシステムに接続される宅内家電機器５には冷蔵庫５ｂやエアコン５ｃなどがあるが本発明と直接関係がないため詳細説明は省略する。
【図面の簡単な説明】
【００３６】
【図１】本発明の一実施例を示す宅内ネットワークシステムの全体構成図である。
【図２】本発明の一実施例を示すドアを開けた状態の加熱調理器の正面図である。
【図３】本発明の一実施例を示す表示手段に表示されるユーザーが考案した料理レシピを登録、呼び出しするためのサービスメニューに関する図である。
【図４】本発明の一実施例を示す表示手段に表示されるユーザーが考案した料理レシピを登録、呼び出しするための料理レシピの選択に関する図である。
【図５】本発明の一実施例を示す表示手段に表示されるユーザーが考案した料理レシピの登録するための料理名、作り方などに関する図である。
【図６】本発明の一実施例を示す表示手段に表示されるユーザーが考案した料理レシピを登録するための加熱調理器の加熱制御情報入力に関する図である。
【図７】本発明の一実施例を示す表示手段に表示されるユーザーが考案した料理レシピを登録、呼び出しするための料理レシピの選択に関する図である。
【図８】本発明の一実施例を示す表示手段に表示されるユーザーが考案し、登録した料理レシピの画像情報、加熱制御情報に関する図である。
【図９】本発明の一実施例を示す表示手段に表示されるユーザーが考案し登録した料理レシピの呼び出しに関する図である。
【図１０】本発明の一実施例を示す表示手段に表示される検索に関する図である。
【図１１】本発明の一実施例を示す表示手段に表示される検索結果に関する図である。
【符号の説明】
【００３７】
１・・・表示手段
２・・・入力手段
３・・・インターネット
３ａ・・インターネット接続手段
４・・・宅内情報端末
５・・・宅内家電機器
５ａ・・加熱調理器
７・・・情報センタ
【図１】
2005090767.tif 000003
【図２】
2005090767.tif 000004
【図３】
2005090767.tif 000005
【図４】
2005090767.tif 000006
【図５】
2005090767.tif 000007
【図６】
2005090767.tif 000008
【図７】
2005090767.tif 000009
【図８】
2005090767.tif 000010
【図９】
2005090767.tif 000011
【図１０】
2005090767.tif 000012
【図１１】
2005090767.tif 000013